(57)【要約】  ここでは、信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための無線ノード並びにユーザ端末、及びそれらにおける方法が説明される。、ＵＥによって実行される方法は、スタティック下りリンク（ＤＬ）サブフレームにおける無線ノードからの上りリンク（ＵＬ）グラントの一部として、非周期ＣＳＩ報告のためのトリガを受信することを含み、トリガは、少なくとも２つの選択肢のＣＳＩサブフレームセットの中から、ＣＳＩサブフレームノットを指示する。本方法は、さらに、指示されたＣＳＩサブフレームセットにおけるＣＳＩ参照リソースのための非周期ＣＳＩ測定を実行することと、無線ノードへのそのＣＳＩ測定についての結果を報告することとを含む。その少なくとも２つの選択肢のＣＳＩサブフレームセットのうちの１つは、１つ以上のスタティックサブフレームに関し、その少なくとも２つの選択肢のＣＳＩサブフレームセットのうちの別の１つは１つ以上のフレキシブルサブフレームに関する。【選択図】  図４
2016534615.tif 000002
【特許請求の範囲】
【請求項１】
信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための、ユーザ端末（ＵＥ）によって実行される方法であって、
−スタティック下りリンク（ＤＬ）サブフレームにおける無線ノードからの上りリンク（ＵＬ）グラントの一部として、少なくとも２つの選択肢のＣＳＩサブフレームセットの中から、ＣＳＩサブフレームセットを指示する、非周期ＣＳＩ報告のためのトリガを受信すること（４０１）と、
−前記指示されたＣＳＩサブフレームセットにおけるＣＳＩ参照リソースに対する非周期ＣＳＩ測定を実行すること（４０３）と、
−前記ＣＳＩ測定の結果を、ＣＳＩ報告サブフレームｎにおいて前記無線ノードへ報告すること（４０４）と、
を含み、
前記少なくとも２つの選択肢のＣＳＩサブフレームセットのうちの１つは前記１つ以上のスタティックサブフレームに関し、前記少なくとも２つの選択肢のＣＳＩサブフレームセットのうちの別の１つは前記１つ以上のフレキシブルサブフレームに関する、
ことを特徴とする方法。
【請求項２】
前記指示されたＣＳＩサブフレームセットが前記１つ以上のフレキシブルサブフレームに関する場合に、前記ＣＳＩ参照リソースは、時間領域において、単一の下りリンクサブフレームｎ−ｎCQI_refとして定められ、ｎCQI_refは、前記単一の下りリンクサブフレームが、前記指示されたＣＳＩサブフレームセットに属する有効な下りリンクサブフレームであるようなオフセットである、
ことを特徴とする請求項１に記載の方法。
【請求項３】
前記トリガは、さらに、１つ以上のＣＳＩ処理を指し示す、
ことを特徴とする請求項１又は２に記載の方法。
【請求項４】
前記トリガは、少なくとも１ビットを含む、
ことを特徴とする請求項１から３のいずれか１項に記載の方法。
【請求項５】
信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための、無線ノードによって実行される方法であって、
−スタティック下りリンク（ＤＬ）サブフレームにおける上りリンク（ＵＬ）グラントにおいて、ユーザ端末（ＵＥ）に対して、少なくとも２つの選択肢のＣＳＩサブフレームセットの中から、前記ＵＥがＣＳＩ参照リソースに対する非周期ＣＳＩ測定を実行すべき、ＣＳＩサブフレームセットを、指示すること（５０３）と、
−前記指示されたＣＳＩサブフレームセットにおける前記ＣＳＩ測定の結果を含むＣＳＩ報告を、ＣＳＩ報告サブフレームｎにおいて、前記ＵＥから受信すること（５０４）と、
を含み、
前記少なくとも２つの選択肢のＣＳＩサブフレームセットのうちの１つは前記１つ以上のスタティックサブフレームに関し、前記少なくとも２つの選択肢のＣＳＩサブフレームセットのうちの別の１つは前記１つ以上のフレキシブルサブフレームに関する、
ことを特徴とする方法。
【請求項６】
前記指示されたＣＳＩサブフレームセットが前記１つ以上のフレキシブルサブフレームに関する場合に、前記ＣＳＩ参照リソースは、時間領域において、単一の下りリンクサブフレームｎ−ｎCQI_refとして定められ、ｎCQI_refは、前記単一の下りリンクサブフレームが、前記指示されたＣＳＩサブフレームセットに属する有効な下りリンクサブフレームであるようなオフセットである、
ことを特徴とする請求項５に記載の方法。
【請求項７】
前記指示は、さらに、１つ以上のＣＳＩ処理を前記ＵＥに指示することを含む、
ことを特徴とする請求項５又は６に記載の方法。
【請求項８】
前記指示は、少なくとも１ビットを含むトリガを用いて実行される、
ことを特徴とする請求項５から７のいずれか１項に記載の方法。
【請求項９】
信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための、ユーザ端末（ＵＥ）（６００、７００）であって、
前記ＵＥは、
−スタティック下りリンク（ＤＬ）サブフレームにおける無線ノードからの上りリンク（ＵＬ）グラントの一部として、少なくとも２つの選択肢のＣＳＩサブフレームセットの中から、ＣＳＩサブフレームセットを指示する、非周期ＣＳＩ報告のためのトリガを受信し、
−前記指示されたＣＳＩサブフレームセットにおけるＣＳＩ参照リソースに対する非周期ＣＳＩ測定を実行し、
−前記ＣＳＩ測定の結果を、ＣＳＩ報告サブフレームｎにおいて前記無線ノードへ報告する、
ように構成され、
前記少なくとも２つの選択肢のＣＳＩサブフレームセットのうちの１つは前記１つ以上のスタティックサブフレームに関し、前記少なくとも２つの選択肢のＣＳＩサブフレームセットのうちの別の１つは前記１つ以上のフレキシブルサブフレームに関する、
ことを特徴とするユーザ端末。
【請求項１０】
前記指示されたＣＳＩサブフレームセットが前記１つ以上のフレキシブルサブフレームに関する場合に、前記ＣＳＩ参照リソースは、時間領域において、単一の下りリンクサブフレームｎ−ｎCQI_refとして定められ、ｎCQI_refは、前記単一の下りリンクサブフレームが、前記指示されたＣＳＩサブフレームセットに属する有効な下りリンクサブフレームであるようなオフセットである、
ことを特徴とする請求項９に記載のユーザ端末。
【請求項１１】
前記トリガは、さらに、１つ以上のＣＳＩ処理を指し示す、
ことを特徴とする請求項９又は１０に記載のユーザ端末。
【請求項１２】
前記トリガは、少なくとも１ビットを有する、
ことを特徴とする請求項９から１１のいずれか１項に記載のユーザ端末。
【請求項１３】
信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための、無線ノード（８００、９００）であって、
前記無線ノードは、
−スタティック下りリンク（ＤＬ）サブフレームにおける上りリンク（ＵＬ）グラントにおいて、ユーザ端末（ＵＥ）に対して、少なくとも２つの選択肢のＣＳＩサブフレームセットの中から、前記ＵＥがＣＳＩ参照リソースに対する非周期ＣＳＩ測定を実行すべき、ＣＳＩサブフレームセットを、指示し、
−前記指示されたＣＳＩサブフレームセットにおける前記ＣＳＩ測定の結果を含むＣＳＩ報告を、ＣＳＩ報告サブフレームｎにおいて、前記ＵＥから受信する、
ように構成され、
前記少なくとも２つの選択肢のＣＳＩサブフレームセットのうちの１つは前記１つ以上のスタティックサブフレームに関し、前記少なくとも２つの選択肢のＣＳＩサブフレームセットのうちの別の１つは前記１つ以上のフレキシブルサブフレームに関する、
ことを特徴とする無線ノード。
【請求項１４】
前記指示されたＣＳＩサブフレームセットが前記１つ以上のフレキシブルサブフレームに関する場合に、前記ＣＳＩ参照リソースは、時間領域において、単一の下りリンクサブフレームｎ−ｎCQI_refとして定められ、ｎCQI_refは、前記単一の下りリンクサブフレームが、前記指示されたＣＳＩサブフレームセットに属する有効な下りリンクサブフレームであるようなオフセットである、
ことを特徴とする請求項１３に記載の無線ノード。
【請求項１５】
前記無線ノード（８００、９００）は、前記ＣＳＩサブフレームセットとともに、前記ＵＥへ１つ以上のＣＳＩ処理を指示するように構成される、
ことを特徴とする請求項１３又は１４に記載の無線ノード。
【請求項１６】
前記無線ノード（８００、９００）は、少なくとも１ビットを有するトリガを用いて、前記ＣＳＩサブフレームセットを指示するように構成される、
ことを特徴とする請求項１３から１５のいずれか１項に記載の無線ノード。
【請求項１７】
無線機器へ複数の異なるＣＳＩサブフレームセットのうちの１つを指示するための、物理下りリンク制御チャネル（ＰＤＣＣＨ）又はエンハンスドＰＤＣＣＨ（ｅＰＤＣＣＨ）上での上りリンクグラントにおけるチャネル状態情報（ＣＳＩ）要求フィールドにおける少なくとも１つのビットの使用であって、前記複数の異なるＣＳＩサブフレームセットのうちの１つが１つ以上のスタティックサブフレームに関し、前記複数の異なるＣＳＩサブフレームセットのうちの別の１つが１つ以上のフレキシブルサブフレームに関する点を特徴とする、使用。
【発明の詳細な説明】
【技術分野】
【０００１】
本開示は、一般に、無線通信ネットワークにおけるチャネル状態情報（ＣＳＩ）の報告に関し、具体的には、フレキシブルサブフレームとスタティックサブフレームとに対して別個の非周期ＣＳＩ報告を処理するための、無線ノード並びにユーザ端末（ＵＥ）における方法、及び対応する無線ノード並びにＵＥに関する。
【背景技術】
【０００２】
セルラネットワークにおける無線通信の分野では、用語「ユーザ端末（ＵＥ）」が一般に用いられており、本開示では、無線ノードから送信された下りリンク信号の受信と無線ノードへの上りリンク信号の送信とを含んだ無線通信の能力を有する任意のユーザによって制御される無線端末、携帯電話、タブレット又は機器を表すのに用いられる。さらに、基地局、ｅ−ｎｏｄｅＢ、ｅＮＢなどとも一般に呼ばれる用語「無線ノード」は、ＵＥと上りリンク及び下りリンクの無線信号を通信することができる無線セルラネットワークの任意のノードを表す。ここで説明される無線ノードは、制限なく、いくつかの慣用的な例を述べるために、いわゆるマクロノード、及び、マイクロノード、ピコノード、フェムトノード、Ｗｉｆｉノード並びに中継ノードなどの低電力ノードを含みうる。本開示を通じて、多くの場合に、無線ノードを表すために用語「ＢＳ」又は「ｅＮＢ」を用いる。
【０００３】
無線通信のためのセルラネットワークでは、サブフレームの時分割複信（ＴＤＤ）構成を、セルにおける上りリンク及び下りリンク伝送に用いることができ、連続するサブフレームが反復可能な無線フレームに含まれる。サブフレームは、ユーザ端末（ＵＥ）からサービング無線ノードへの上りリンク伝送と、無線ノードからＵＥへの下りリンク伝送とのために、上りリンク及び下りリンク伝送がセル内で同時に生じないように、予約される。サブフレームは、基本的に、所定長の、通常は１ミリ秒（ｍｓ）の事前設定された期間によって定義され、各サブフレームは、それぞれが０．５ｍｓの２つのタイムスロットを含みうる。さらに、無線フレームは、所定数の連続するサブフレーム、例えば１０個のサブフレームを含む。このようなネットワークでは、異なる無線ノードは、例えば上りリンク及び下りリンクの無線リソースのそれぞれに対する現在の要求に応じて、異なるサブフレームの設定を用いることができる。
【０００４】
異なるセルにおける無線ノードが使用することができる異なるＴＤＤ設定の例を、それぞれが、下りリンクサブフレーム「Ｄ」、上りリンクサブフレーム「Ｕ」及びいわゆる特別フレーム「Ｓ」を含んだ１０個のサブフレーム０〜９を有する、７個の異なるＴＤＤ設定０〜６を含んだ図１の表に示す。特別フレームＳは、下りリンクのために予約された１つの部分と、上りリンクのために予約された別の部分と、その２つの部分の間の、上りリンクも下りリンクも許容しないガード区間とを伴って構成される。この例では、全てのＴＤＤ設定０〜６において最初の３つのサブフレーム０〜２及びサブフレーム５が、それぞれ、下りリンクＤ、特別Ｓ、上りリンクＵ、及び下りリンクＤのために予約されている一方で、残りのサブフレーム３、４、６〜９は、異なるＴＤＤ設定において変動しうるのが分かる。後者のサブフレーム３、４、６〜９は、可変のリンク方向を有するフレキシブルサブフレームと呼ばれうると共に、前者のサブフレーム０〜２及び５は、固定のリンク方向を有するスタティック又は固定サブフレームと呼ばれうる。
【０００５】
本開示では、このように、用語「フレキシブルサブフレーム」は、そのフレキシブルサブフレームがあるセルにおいて下りリンク伝送に用いられると共に他のセルにおいて上りリンク伝送に用いられうるように、伝送の方向、すなわち下りリンク又は上りリンクが、異なるセル間で異なりうるサブフレームを表す。さらに、フレキシブルサブフレームは、同じセルにおいて、そのフレキシブルサブフレームがそのセルにおいて、ある無線フレームでは下りリンクのために、そして別の無線フレームでは上りリンクのために用いられるように、無線フレームごとに異なりうる。それにより、フレキシブルサブフレームにおける伝送は、少なくともいくつかの無線フレームにおいて、以下のように、異なる隣接セル間の干渉を生じさせうる。本開示では、「フレキシブルサブフレームの間」という表現は、フレキシブルサブフレームを伴う本サブフレーム手法を適用する無線ノードによってＵＥがサービスを供されているか否か、若しくは、フレキシブルサブフレームと時間が重なる又は一致するサブフレームを用いるサブフレーム手法を適用する隣接無線ノードによってＵＥがサービスを供されているか否かに応じて、そのフレキシブルサブフレーム内として、又は、フレキシブルサブフレームと時間が重なるサブフレーム内として、理解されるべきである。
【発明の概要】
【発明が解決しようとする課題】
【０００６】
２つの隣接セルにおいて異なるＴＤＤ設定が用いられる場合、下りリンクが１つのセルで許可されると共に他方のセルで同時に上りリンクが許可されるフレキシブルサブフレームの間、干渉がそれらのセルにわたって生じうる。本説明では、用語「隣接セル」は、それらのセルが、１つのセルにおける伝送が潜在的に他のセルにおいて干渉を引き起こしうるほどに、互いに十分近接していることを意味する。隣接セルにおける異なるＴＤＤ設定に起因する干渉は、１）フレキシブルサブフレームの間に、１つのセルの無線ノードからの下りリンクの送信が他のセルの無線ノードにおける上りリンクの受信を妨害する場合の下りリンクから上りリンクへの干渉、又は、２）フレキシブルサブフレームの間に、１つのセルのＵＥからの上りリンクの送信が他のセルにおけるＵＥの下りリンクの受信を妨害する上りリンクから下りリンクへの干渉、のいずれかでありうる。これらの２つのシナリオのうち、１）は、多かれ少なかれ予想できる無線ノード間の干渉を指し、１つの無線ノードからの下りリンク信号が他の無線ノードにおいて受信されるときに非常に強いわけではないように隣接セルの無線ノードが互いに離れた比較的遠い固定された位置にあるため、この干渉は非常に正確にコントロールされうる。
【０００７】
一方、上述のシナリオ２）は、ＵＥが動き回り、かつ、場合によっては、例えば両者がそれらの個々のセルの境界近くに位置する場合、異なる無線ノードによってサービスを供されている間に互いに極めて近くに位置しうるため、より予想できないＵＥ間の干渉を指す。このシナリオを、「ＵＥ１」で表される第１のＵＥが、あるサブフレームにおいてＵＥ１が上りリンク信号「ＵＬ１」を送信するのを可能とするＴＤＤ設定を用いる第１の無線ノード「ＢＳ１」によって供される、第１のセル１の境界近くに位置している図２において説明する。同時に、第２のＵＥ「ＵＥ２」が、同一のサブフレームにおいてＵＥ２が下りリンク信号「ＤＬ２」を受信する、したがって本文脈においてフレキシブルサブフレームである、のを可能とする、別のＴＤＤ設定を用いる第２の無線ノード「ＢＳ２」によって供される、第２のセル２の境界近くに位置している。ＵＥ１及びＵＥ２は期せずして互いに非常に近接しているが、それらの個々の無線ノードからは比較的遠いため、ＵＥ１から高い電力で送信された上りリンク信号ＵＬ１は、フレキシブルサブフレームの間にＵＥ２によって受信される比較的弱い下りリンク信号ＤＬ２に、協力に干渉する。このＵＥからＵＥへの干渉「Ｉ」を、破線矢印で示している。
【０００８】
図３Ａは、隣接セル１及び２にわたるＵＥからＵＥへの干渉を引き起こしうる、２つのＴＤＤ設定の例を示している。セル１では、図１のＴＤＤ設定１が用いられ、セル２では、図２のＴＤＤ設定２が用いられている。図１及び図３Ａの両方において、フレキシブルサブフレーム３及び８が、セル１における上りリンクサブフレーム及びセル２における下りリンクサブフレームであり、したがって、図３Ａにおける破線矢印で示されるセル１からセル２へのＵＥからＵＥへの干渉を千座右的に引き起こすように、２つのセルにおいて異なって設定されていることが分かる。この場合、ＵＥ１を「攻撃者（aggressor）ＵＥ」と呼び、ＵＥ２を「犠牲者（victim）ＵＥ」と呼びうる。同様に、セル１及びセル２を、それぞれ「攻撃者セル」及び「犠牲者セル」と呼びうる。このように、異なるセルにおいて１つ以上のフレキシブルサブフレームを伴う異なるＴＤＤ設定を許容する無線通信ネットワークでは、フレキシブルサブフレームの間に犠牲者セルにおける犠牲者ＵＥによって受信される下りリンク無線信号は、例えば、通常は予想できないＵＥの相対距離および位置に応じて、そのサブフレームの間に攻撃者セルにおける攻撃者ＵＥからの上りリンク送信によって引き起こされる干渉にさらされうることが問題である。
【０００９】
無線通信では、チャネル状態情報（ＣＳＩ）は、無線通信リンクのチャネル特性を指す。この情報は、基本的に、どのように信号が送信器から受信器へ伝搬するかを記述する。ＣＳＩは、送信を現在のチャネル状態に適応させることを可能とし、セルラネットワークにおいて高いデータレートで信頼性のある通信を達成するのに有用でありうる。ＣＳＩは、受信器、通常はＵＥ、において推定される必要があり、通常、量子化されて、送信器、通常はＵＥにサービスを供する無線ノード、へ報告が返される。この報告は、一般に、ＣＳＩフィードバックと呼ばれる。ＣＳＩ報告は、チャネル品質インジケータ（ＣＱＩ）と、プリコーディング行列インジケータ（ＰＭＩ）と、ランクインジケータ（ＲＩ）と、の少なくともいずれかを含みうる。
【００１０】
ＣＳＩフィードバックは、通常、様々な観点において無線アクセスネットワークの性能を支えるために用いられる。例えば、一般に、スケジューリング、リンクアダプテーション、及び干渉調整などの様々なＲＲＭ機能に対する基礎として用いられる。また、ＭＩＭＯ伝送のためのランク及びプリコーディング行列のレコメンデーションに用いることもできる。ＬＴＥでは、周期ＣＳＩ報告及び非周期ＣＳＩ報告の、２つのＣＳＩ報告手法がサポートされている。以下の開示は、高速な、又は、フレキシブルな、ＵＬ／ＤＬ設定が用いられるＴＤＤシステムのための、非周期ＣＳＩ報告に関する。
【００１１】
無線データトラフィックは、将来ますます局在化するようになり、そこでは、ほとんどのＵＥのユーザが、ホットスポットに、インドアエリアに、又は住居地域にいることが予想される。したがって、これらのＵＥのユーザは、通常、無線ノードによって供されるセルの限定的なエリア内のクラスタに位置し、ＵＥは、異なる無線ノードへのＵＬトラフィックと無線ノードからのＤＬトラフィックとをそれぞれ異なる時刻において生成する。これは、本質的に、ＵＬリソース及びＤＬリソースを瞬時の（又は短期間の）トラフィックの変動に適合させるための動的な特徴が、将来のローカルエリアセルにおいて要求されるだろうことを意味している。この場合、現在のトラフィックの状況に応じて動的にＵＬ／ＤＬリソースを割り当てるためのフレキシビリティを有するＴＤＤシステムが、非常に魅力的になる。
【００１２】
上述のように、今日、図１の表に示すように、ＤＬのための４０％〜９０％の範囲のリソースを与える、ＬＴＥにおいて定められた７個の異なるＴＤＤのＵＬ／ＤＬ設定が存在する。図１において、例えば、ＴＤＤ設定５は、例えばＴＤＤ設定０より、非常に多くのＤＬのためのリソースを有していることが分かる。現在の規格では、ＵＬ／ＤＬ設定は、準静的に設定されており、したがって、極めて高速に変動しうる瞬時的なトラフィックの状況にあまり適合していないかもしれない。この後では「動的ＴＤＤ」と呼ばれる、より高速なＴＤＤ設定は、特に低いシステム負荷から中程度のシステム負荷におけるＵＬ及びＤＬの両方での良好な性能の潜在能力を示しており、動的ＴＤＤは、ＬＴＥ  Ｒｅｌ−１２の標準化された特徴となるだろう。図１の表にリスト化されているものより多くのＴＤＤ設定が将来導入されうることに留意されたい。ここで提案されるソリューションは、既存のＴＤＤ設定に限られず、むしろ、将来定められる新しい設定に等しく適用可能である。
【００１３】
異なるタイムスケールを有する動的なＴＤＤ再設定を支えるために、異なるシグナリング方法が検討されている。理論的には、各サブフレームを、ＵＬとＤＬとのいずれかとして割り当てることは可能であろう。しかしながら、これは、ＤＬ／ＵＬスイッチング、ランダムアクセス、無線リンクモニタリング、ハンドオーバなどのような動作に対する大きな問題を引き起こすだろう。さらに、レガシーのＵＥとの後方互換性を達成することは事実上不可能であろう。したがって、例えば図１の異なるＴＤＤ設定間での切り替えにより、サブフレームのサブセットの中でＵＬとＵＬとの間での動的な切り替えを行うことが、より実用的である。この場合、サブフレームは、スタティックサブフレームとフレキシブルサブフレームとの２つのタイプに分割されうる。スタティックサブフレームは、すべてのＴＤＤ設定に対して固定されたリンクの方向を有し、一方で、フレキシブルサブフレームは、異なるＴＤＤ設定においてＵＬ又はＤＬのいずれかでありえ、それにより、例えば上述のように、セルに対するＴＤＤ設定の変更によって、ＵＬとＤＬとの間で動的に切り替えられうる。
【００１４】
トラフィック状況に応じてフレキシブルサブフレームのセットを設定するかはｅＮＢ次第でありうる。１つの考えられる方法は、フレキシブルサブフレームが２つの参照ＴＤＤ設定によって黙示的に決定されるように、すなわち、上述のように、２つのＴＤＤ設定におけるリンクの方向が異なりうるサブフレームがフレキシブルサブフレームとして定められるように、２つの異なるＵＬ／ＤＬのＴＤＤ設定をＵＥにシグナリングすることである。図３Ｂは、参照ＴＤＤ設定０がＵＬのために用いられ、参照ＴＤＤ設定２がＤＬのために用いられる例を示している。この例では、通常のサブフレームと特別サブフレームとを含みうるスタティック下りリンクサブフレームがサブフレーム０、１、５及び６である一方で、スタティック上りリンクサブフレームは、サブフレーム２及び７であり、したがって、サブフレーム０〜２及び５〜７が固定のリンク方向を有するスタティックサブフレームである。残りのサブフレーム３、４、８及び９は、上りリンク又は下りリンクのいずれかの送信のために用いられうるフレキシブルサブフレームである。
【００１５】
２つのタイプのサブフレームにおけるＵＥの受信を検討すると、例えば図１〜３Ｂを参照して上述したように、干渉状況は、異なるサブフレームにおいて異なりうる。スタティックＤＬサブフレームでは、隣接ｅＮＢによりセル間干渉が生じる一方で、フレキシブルサブフレームでは、隣接ｅＮＢと、隣接ｅＮＢによってサービスの提供を受けており、現在ＵＬの送信のためにスケジューリングされている所定のＵＥとのいずれかにより、セル間干渉が生じうる。上述の異なる干渉状況に対処するために、２つのタイプのサブフレームに対して、ＤＬスケジューリング及びリンクアダプテーションがそれぞれのＣＳＩ測定に基づいて両方のタイプのサブフレームのために適切に実行されうるように、別個のＣＳＩ測定が採用されるべきである。したがって、そのような個別のＣＳＩ報告を処理するための機構にたいする要求がある。
【課題を解決するための手段】
【００１６】
スタティックサブフレーム及びフレキシブルサブフレームに対する個別のＣＳＩ測定を処理するための方法を発見するのが望ましい。本開示では、ＵＥに、スタティック下りリンクサブフレームのための、及び、フレキシブル下りリンクサブフレームのための非周期ＣＳＩ報告を別個に実行するためのトリガを与えるためのソリューションについて説明する。これは、添付の独立請求項に記載の方法及びノードによって達成される。本ソリューションは、ロバストで、実装が容易で非常に小さいオーバーヘッドのみを生じ、さらに現在の標準への影響が少なく、例えば変更の必要性を最小化している。
【００１７】
第１の態様によれば、ＵＥによって実行される、信号伝送の方向が固定された１つ以上のスタティックサブフレームと、信号伝送の方向が可変の１つ以上のフレキシブルサブフレームとに対する別個の非周期ＣＳＩ報告を処理するための方法が提供される。本方法は、スタティックＤＬサブフレームにおいて、無線ノードから、ＵＬグラントの一部として、非周期ＣＳＩ報告のためのトリガを受信することを含む。そのトリガは、少なくとも２つの選択肢のＣＳＩサブフレームセットの中から、ＣＳＩサブフレームセットを指示する。その少なくとも２つの選択肢のＣＳＩサブフレームセットのうちの１つは、１つ以上のスタティックサブフレームに関し、その少なくとも２つの選択肢のＣＳＩサブフレームセットのうちの別の１つは１つ以上のフレキシブルサブフレームに関する。本方法は、さらに、指示されたＣＳＩサブフレームセットにおけるＣＳＩ参照リソースのための非周期ＣＳＩ測定を実行することと、無線ノードへのそのＣＳＩ測定の結果を報告することとを含む。ＣＳＩ測定の結果は、ＣＳＩ報告サブフレームｎにおいて無線ノードへ報告されうる。
【００１８】
第２の態様によれば、無線ノードによって実行される、信号伝送の方向が固定された１つ以上のスタティックサブフレームと、信号伝送の方向が可変の１つ以上のフレキシブルサブフレームとに対する別個の非周期ＣＳＩ報告を処理するための方法が提供される。本方法は、スタティックＤＬサブフレームにおけるＵＬグラントにおいて、少なくとも２つの選択肢のＣＳＩサブフレームセットの中から、ＵＥがＣＳＩ参照リソースに対して非周期ＣＳＩ測定を実行すべきＣＳＩサブフレームセットを指示することを含む。その少なくとも２つの選択肢のＣＳＩサブフレームセットのうちの１つは、１つ以上のスタティックサブフレームに関し、その少なくとも２つの選択肢のＣＳＩサブフレームセットのうちの別の１つは１つ以上のフレキシブルサブフレームに関する。本方法は、さらに、指示されたＣＳＩサブフレームセットにおけるＣＳＩ測定の結果を含んだＵＥからのＣＳＩ報告を受信することを含む。本報告は、ＣＳＩ報告サブフレームｎにおいて受信されうる。
【００１９】
第３の態様によれば、信号伝送の方向が固定された１つ以上のスタティックサブフレームと、信号伝送の方向が可変の１つ以上のフレキシブルサブフレームとに対する別個の非周期ＣＳＩ報告を処理するためのＵＥが提供される。本ＵＥは、スタティックＤＬサブフレームにおいて、無線ノードから、ＵＬグラントの一部として、非周期ＣＳＩ報告のためのトリガを受信するように構成される。そのトリガは、少なくとも２つの選択肢のＣＳＩサブフレームセットの中から、ＣＳＩサブフレームセットを指示する。その少なくとも２つの選択肢のＣＳＩサブフレームセットのうちの１つは、１つ以上のスタティックサブフレームに関し、その少なくとも２つの選択肢のＣＳＩサブフレームセットのうちの別の１つは１つ以上のフレキシブルサブフレームに関する。本ＵＥは、さらに、指示されたＣＳＩサブフレームセットにおけるＣＳＩ参照リソースのための非周期ＣＳＩ測定を実行し、無線ノードへ、そのＣＳＩ測定の結果を報告するように構成される。本ＵＥは、ＣＳＩ報告サブフレームｎにおいて、ＣＳＩ測定の結果を無線ノードへ報告するように構成されうる。
【００２０】
第４の態様によれば、信号伝送の方向が固定された１つ以上のスタティックサブフレームと、信号伝送の方向が可変の１つ以上のフレキシブルサブフレームとに対する別個の非周期ＣＳＩ報告を処理するための無線ノードが提供される。本無線ノードは、スタティックＤＬサブフレームにおけるＵＬグラントにおいて、少なくとも２つの選択肢のＣＳＩサブフレームセットの中から、ＵＥがＣＳＩ参照リソースに対して非周期ＣＳＩ測定を実行すべきＣＳＩサブフレームセットを指示するように構成される。その少なくとも２つの選択肢のＣＳＩサブフレームセットのうちの１つは、１つ以上のスタティックサブフレームに関し、その少なくとも２つの選択肢のＣＳＩサブフレームセットのうちの別の１つは１つ以上のフレキシブルサブフレームに関する。本無線ノードは、さらに、指示されたＣＳＩサブフレームセットにおけるＣＳＩ測定の結果を含んだＵＥからのＣＳＩ報告を受信するように構成される。本無線ノードは、ＣＳＩ報告サブフレームｎにおいて、ＵＥからのＣＳＩ報告を受信するように構成されうる。
【００２１】
第５の態様によれば、無線機器へ複数の異なるＣＳＩサブフレームセットのうちの１つを指示するためのＰＤＣＣＨ又はｅＰＤＣＣＨ上でのＵＬグラントにおけるＣＳＩ要求フィールドにおける少なくとも１つのビットの使用が提供され、その複数の異なるＣＳＩサブフレームセットのうちの１つが１つ以上のスタティックサブフレームに関し、その複数の異なるＣＳＩサブフレームセットのうちの別の１つが１つ以上のフレキシブルサブフレームに関する点を特徴とする。
【００２２】
ここで、本発明について、例示の実施形態を用いると共に添付の図面を参照して、より詳細に説明する。
【図面の簡単な説明】
【００２３】
ここで、本発明について、例示の実施形態を用いると共に添付の図面を参照して、より詳細に説明する。
【図１】ＬＴＥにおける様々なＴＤＤ設定を示す図。
【図２】隣接セルにおける異なるＴＤＤ設定を伴う動的ＴＤＤに起因した干渉が生じうる、例示のシナリオを示す図。
【図３Ａ】２つの異なるＴＤＤ設定と、隣接セルにおいて同時に用いられるときに生じうる、見込まれる干渉とを示す図。
【図３Ｂ】ＵＬ参照設定０及びＤＬ参照設定２に対する、動的ＴＤＤのフレーム構成を示す図。
【図４】例示の実施形態による、ＵＥによって実行される方法を説明するフローチャート。
【図５】例示の実施形態による、無線ノードによって実行される方法を説明するフローチャート。
【図６】例示の実施形態によるＵＥの可能な実装を説明するブロック図。
【図７】例示の実施形態によるＵＥの可能な実装を説明するブロック図。
【図８】例示の実施形態による無線ノードの可能な実装を説明するブロック図。
【図９】例示の実施形態による無線ノードの可能な実装を説明するブロック図。
【発明を実施するための形態】
【００２４】
従来技術の規格において、非周期ＣＳＩ報告は、物理下りリンク制御チャネル（ＰＤＣＣＨ）又はエボルブドＰＤＣＣＨ（Ｅ−ＰＤＣＣＨ）によって運ばれる上りリンクグラント（ＤＣＩフォーマット０／４）によりトリガされる。サブフレームｎにおいて非周期ＣＳＩ報告がトリガされると、ＵＥは、黙示的なＣＳＩ参照リソースでＣＳＩ測定を実行し、ｋがＰＵＳＣＨに対するスケジューリングタイミング遅延である場合のサブフレームｎ＋ｋにおいて、物理上りリンク共有チャネル（ＰＵＳＣＨ）を用いた非周期ＣＳＩ報告を実行しなければならない。ＣＳＩは、３ＧＰＰにおける「ＣＳＩ参照リソース」と呼ばれる下りリンク物理リソースのグループに対して決定される。非周期ＣＳＩ報告のために、時間領域において、ＣＳＩ参照リソースは、対応するＣＳＩ要求のサブフレームに対応する。すなわち、ＣＳＩ参照リソースは、非周期ＣＳＩ報告の要求が送信されたサブフレームによって黙示的に決定される。動的ＴＤＤでは、スタティックサブフレームとフレキシブルサブフレームとの両方におけるＵＬ伝送が、スタティックＤＬサブフレームで送信されるＵＬグラントによってスケジューリングされる。本発明者は、ＵＥによってスタティックサブフレーム及びフレキシブルサブフレームに対してなされる非周期ＣＳＩ測定及び報告が別個に要求されるべき時に、動的ＴＤＤ配置に対する非周期ＣＳＩ手順のための現在の規定された要求の機構に伴う問題があることを認識した。
【００２５】
スタティックＤＬサブフレームにおいてＵＬグラントを送信する理由は、後方互換性を有効にし、実質的に追加の複雑性をｅＮＢ及びＵＥの両方に引き起こすであろう、新しいＵＬスケジューリング及びＨＡＲＱタイミング設計を導入することを避けることである。後方互換性は、例えば、使用されるＤＬのＴＤＤ設定によらず、任意のＵＥがＵＬグラントを受信できるべきであることを意味する。したがって、従来技術において、ＣＳＩ参照リソースが、非周期ＣＳＩがトリガされたＤＬサブフレームに依存し、そして、実際には時間領域に対してそのＤＬサブフレームであるため、常に、同一のタイプのサブフレーム、すなわち、スタティックサブフレームである。これは、本発明者によって認識されたように、フレキシブルサブフレームに対しても非周期ＣＳＩを要求することの必要性と両立しない。
【００２６】
本発明者は、スタティックサブフレームとフレキシブルサブフレームとの両方のための非周期ＣＳＩ要求をそれぞれ有効にするために必要なソリューションが必要であることを認識している。本ソリューションは、可能な限り小さいオーバーヘッドを生じさせ、実装が容易であり、そして、本ソリューションが現在の標準への最小の変更を引き起こす場合にさらに有利であることが望ましい。
【００２７】
先行技術によれば、異なるキャリア及び異なるＣＳＩ処理に対して非周期ＣＳＩ報告をトリガする可能性がある。異なるキャリアに対してＣＳＩ報告をトリガする可能性は、異なるＣＳＩ報告を必要としうる、異なる無線周波数における複数の異なるキャリアを用いて、ＵＥが設定されうる、キャリアアグリゲーション（ＣＡ）に関する。異なるＣＳＩ処理に対して非周期ＣＳＩ報告をトリガする選択肢は、「強調マルチポイント送受信」（ＣｏＭＰ）と呼ばれる技術に関する。ＣＳＩ処理は、以下のように説明されうる：ＣｏＭＰにおける送信仮説（hypothesis）は、信号仮説と干渉仮説との２つの部分から成る。信号仮説は、そこからデータが送信されると仮定される送信点（ＴＰ）を規定し、干渉仮説は、その仮定されたデータ送信の間に受ける干渉を表す。１つの送信仮説に対応するＣＳＩが、ＣＳＩ処理として定められる。ＣＳＩ処理は、信号仮説及び干渉仮説の関連性によって判定され、そこでは、信号仮説及び干渉仮説がＣＳＩ−ＲＳ及び干渉測定リソースとのそれぞれを通じて、または、それぞれにおいて、測定される。しかしながら、これは、スタティックサブフレーム又はフレキシブルサブフレームのいずれかを含む異なるサブフレームセットには関連しない。
【００２８】
本発明者は、スタティックサブフレーム及びフレキシブルサブフレームのそれぞれのために、非周期ＣＳＩ報告を別個に要求すること又はトリガすることを可能とするために、異なるタイプのサブフレームを取り扱うための新しい手法が要求されることを認識している。以下では、このような手法について、説明用の図面を参照して説明する。本ソリューションについて、まず、ＵＥの観点から説明し、その後、無線ノード、ＢＳ又はｅＮＢの観点から説明する。
【００２９】
以下の説明では、非周期ＣＳＩ報告を実行することをＵＥにトリガすることを、場合によっては、例えば「ＣＳＩ要求」又は「ＣＳＩ報告要求」と呼ぶ。
【００３０】
ユーザ端末（ＵＥ）のための方法
ＵＥによって実行される、信号伝送の方向が固定された１つ以上のスタティックサブフレームと、信号伝送の方向が可変の１つ以上のフレキシブルサブフレームとに対する別個の非周期ＣＳＩ報告を処理するための方法の実施形態の例について、図４に描かれているフローチャートを参照して説明する。ＵＥは、動的ＴＤＤを適用する無線通信システムにおいて動作可能であるように構成される。本方法は、以下の動作を含み、この動作は任意の適切な順序で取り込まれうる。
【００３１】
動作４０１
ＵＥは、スタティックＤＬサブフレームにおいて、無線ノード、例えばＢＳから、上りリンク（ＵＬ）グラントの一部として、非周期ＣＳＩ報告のためのトリガを受信する。そのトリガは、少なくとも２つの選択肢のＣＳＩサブフレームセットの中から、ＣＳＩサブフレームセットを指示する。その少なくとも２つの選択肢のＣＳＩサブフレームセットのうちの１つは、１つ以上のスタティックサブフレームに関し、その少なくとも２つの選択肢のＣＳＩサブフレームセットのうちの別の１つは１つ以上のフレキシブルサブフレームに関する。
【００３２】
ＵＬグラントは、ＵＬサブフレームにおいて送信することのＵＥへの許可を与える。ＵＬグラントは、下りリンク制御情報（ＣＳＩ）において送信されうる。用語「ＵＬグラント」は、ここでは、ランダムアクセスグラントも含むとみなされる。受信されたＵＬグラントは、ＣＳＩ要求フィールドにおいて、ＣＳＩサブフレームセットを示す１つ以上のビットを含む。指示されたＣＳＩサブフレームセットは、１つ以上のスタティックサブフレームを参照し若しくは含んでもよく、又は、指示されたＣＳＩサブフレームセットは、１つ以上のフレキシブルサブフレームを参照し若しくは含みうる。例えば、トリガ又はインジケータが、値「０１」を有する２つのビットを含む場合、これは、１つ以上のフレキシブルサブフレームに対する非周期ＣＳＩ報告が要求されることが示されると定められうる。同様に、その２つのビットが値「１１」を有する場合、これは、１つ以上のスタティックサブフレームに対する非周期ＣＳＩ報告が要求されることが示されると定められうる。トリガは、さらに、他の値、例えば「００」をとってもよく、これは、この時点において非周期ＣＳＩ報告が要求されていないことを示すように定められうる。このように、ＣＳＩ要求フィールドにおけるそのビットは、非周期ＣＳＩ報告が要求されるＣＳＩサブフレームを示すトリガと見られうる。指示またはトリガは、例えばＰＤＣＣＨ又はＥ−ＰＤＣＣＨを介して受信されうる。
【００３３】
いくつかの実施形態では、トリガは、さらに、１つ以上のＣＳＩ処理を示しうる。
【００３４】
動作４０２
本動作は、黙示的に、例えば動作４０３に黙示的に含まれる（したがって破線の輪郭を有する）とみなされうるが、理解を促進するために図４に示されている。トリガが受信されると、トリガは復号される必要があり、すなわち、ＵＥはどのタイプのＣＳＩサブフレームセットがトリガによって示されているか、すなわち指示されたＣＳＩサブフレームセットにおける１つ以上のサブフレームがフレキシブルであるかスタティックであるかを判定する必要がある。これは、代わりに、ＵＥが、複数のトリガのうち、ＵＬグラントに含まれたトリガがどれであるかを判定する必要があると表現されてもよい。
【００３５】
動作４０３
ＵＥは、示されたＣＳＩサブフレームセットにおけるＣＳＩ参照リソースに対して非周期ＣＳＩ測定を実行する。
【００３６】
トリガが、スタティックサブフレームのセット、すなわち１つ以上のスタティックサブフレームを、ＣＳＩサブフレームセットとして示す、又は、トリガがスタティックサブフレームのセットをＣＳＩサブフレームセットとして示すと判定された場合、ＣＳＩ測定は、そのスタティックサブフレームのセットにおける少なくとも１つのＣＳＩ参照リソースに対して実行される。対応して、トリガが、フレキシブルサブフレームのセット、すなわち１つ以上のフレキシブルサブフレームを、ＣＳＩサブフレームセットとして示す、又は、トリガがフレキシブルサブフレームのセットをＣＳＩサブフレームセットとして示すと判定された場合、ＣＳＩ測定は、そのフレキシブルサブフレームのセットにおける少なくとも１つのＣＳＩ参照リソースに対して実行される。ＣＳＩ測定は、ＣＳＩ参照リソースとして定められた厳密なリソースで実行される必要はなく、ＣＳＩ参照リソースに対応する又はＣＳＩ参照リソースを表す無線リソースにおいて実行されることができる。換言すれば、ＣＳＩ測定は、ＣＳＩ参照リソースで実行される測定を表すべきである。異なるＣＳＩサブフレームセットに対するＣＳＩ参照リソースは、ＵＥがその指示またはトリガを受信することと無線ノードがその指示またはトリガを送信することの両方が合意する、すなわち、どのリソースがそれぞれの個別のＣＳＩサブフレームセットのためのＣＳＩ参照リソースであるかの共通の理解を有するように、事前に定められうる。ＵＥ及び無線ノードは、さらに、これもまた事前に定められうる、トリガの定義について合意すべきである。トリガ及びＣＳＩ参照リソースの、この情報は、ＵＥと無線ノードとの少なくともいずれかに対して、設定手順の一部として提供されるか、例えば、そうでなければ、管理ノードから無線ノードへ、そして、無線ノードからＵＥへ、例えばＲＲＣシグナリングを介して、通信され又は更新されるか、の少なくともいずれかでありうる。どのようにＣＳＩ参照リソースを定めうるかについては、さらにあとにより詳細に説明する。
【００３７】
動作４０４
ＵＥは、ＣＳＩ測定の結果を、無線ノードへ報告する。
【００３８】
ＣＳＩ測定結果は、ＵＥによって処理され、その結果は、非周期ＣＳＩ報告において無線ノードへ提示される。報告は、トリガによって定められうる、又は、非周期ＣＳＩ報告がトリガされたサブフレームに黙示的に関連しうる、ＵＬサブフレームで送信される。例えば、報告は、ＣＳＩ報告サブフレームｎにおいて送信されてもよく、ここで、ｎはサブフレームインデクスである。
【００３９】
いくつかの実施形態では、指示されたＣＳＩサブフレームセットが１つ以上のフレキシブルサブフレームに関する場合、ＣＳＩ参照リソースは、時間領域において、単一の下りリンクサブフレームｎ−ｎCQI_refとして定められ、ここで、ｎCQI_refは、その単一の下りリンクサブフレームが、指示されたＣＳＩサブフレームセットに属する有効な下りリンクサブフレームであるようなオフセットであり、ｎはＣＳＩ報告サブフレームに対するサブフレームインデクスである。
【００４０】
無線ノード、例えばＢＳ、のための方法
ここで、無線ノード、例えばＢＳの観点から見た、方法の実施形態について説明する。無線ノード又はＢＳは、いくつかの実施形態において、ｅＮＢでありうる。このように、無線ノードによって実行される、信号伝送の方向が固定された１つ以上のスタティックサブフレームと、信号伝送の方向が可変の１つ以上のフレキシブルサブフレームとに対する別個の非周期ＣＳＩ報告を処理するための方法の実施形態の例について、図５に描かれているフローチャートを参照して説明する。本方法は、以下の動作を含み、この動作は任意の適切な順序で実行されうる。
【００４１】
動作５０１
この動作は、例えば動作５０３に、目次的に含まれると考えられうるが、ここでは、理解を促進するために概略的に図解している。このため、本動作は、破線で輪郭が描かれている。本動作は、ＵＥからの非周期ＣＳＩ報告の必要性があるかを無線ノードが判定するように説明されうる。必要性がある場合には、上述のように、ＤＬ制御情報の一部として、非周期ＣＳＩ報告要求がＵＥへ送信されるべきである。
【００４２】
動作５０２
動作５０１に対するように、本動作も、動作５０３に又は動作５０１に、目次的に含まれると考えられうる。本動作は、非周期ＣＳＩ報告が、フレキシブルサブフレーム／リソースのために必要であるか、スタティックサブフレーム／リソースのために必要であるかを判定することのように説明されうる。これは、例えば動作５０１における非周期ＣＳＩ報告を要求することの、見込まれる必要性の判定と関連して判定されうる。
【００４３】
動作５０３
無線ノードは、スタティックＤＬサブフレームにおけるＵＬグラントにおいて、ＵＥに対して、少なくとも２つの選択肢のＣＳＩサブフレームセットの中から、その中で又はそこでＵＥがＣＳＩ参照リソースに対するＣＳＩ測定を実行すべき、ＣＳＩサブフレームセットを知らせる。ここで、その少なくとも２つの選択肢のＣＳＩサブフレームセットのうちの１つは、１つ以上のスタティックサブフレームに関し、例えば、１つ以上のスタティックサブフレームを参照し又は含み、その少なくとも２つの選択肢のＣＳＩサブフレームセットのうちの別の１つは、１つ以上のフレキシブルサブフレームに関し、例えば、１つ以上のフレキシブルサブフレームを参照し又は含む。
【００４４】
フレキシブル又はスタティックの、所定のタイプのサブフレームに対する非周期ＣＳＩ報告の必要性があるのが明らかである場合は、そのような報告の要求が、無線ノードからＵＥへシグナリングされるべきである。すなわち、そのような報告が、無線ノードによってトリガされるべきである。本動作は、代わりに、インジケータ又はトリガを用いて、報告が要求されるように編成されてもよい。インジケータ又はトリガは、少なくとも１つのビットを含み、「０１」「１０」又は「１１」などのその少なくとも１つのビットの様々な値は、異なるＣＳＩサブフレームセット、例えば、１つ以上のスタティックサブフレームまたは１つ以上のフレキシブルサブフレームを指し示し、どのＣＳＩサブフレームセットが指示されているかに応じて異なるＣＳＩ参照リソースと関連する、異なるトリガとして参照されてもよい。
【００４５】
いくつかの実施形態では、その指示は、さらに、１つ以上のＣＳＩ処理を、ＵＥに知らせることを含みうる。
【００４６】
動作５０４
無線ノードは、指示されたＣＳＩサブフレームセットにおいてＵＥからＣＳＩ報告を受信する。ＣＳＩ報告は、非周期ＣＳＩ測定の結果を含む。
【００４７】
ＣＳＩ報告は、上述の指示又はトリガを含んだ非周期ＣＳＩ報告要求に応答して受信される。トリガがフレキシブルサブフレームのＣＳＩサブフレームセットを指示している場合、ＣＳＩ報告は、１つ以上のフレキシブルサブフレームにおけるＣＳＩ参照リソースに関する。同様に、トリガがスタティックサブフレームのＣＳＩサブフレームセットを指示している場合、ＣＳＩ報告は、１つ以上のスタティックサブフレームにおけるＣＳＩ参照リソースに関する。ＣＳＩ報告は、黙示的に知られると共にＣＳＩ報告が要求されたサブフレームに依存しうる、ＵＬサブフレームｎにおいて受信される。したがって、ＵＬサブフレームｎは、そこでＣＳＩサブフレームセットによって指示された非周期ＣＳＩ測定の結果を含むＣＳＩ報告が無線ノードにおいて受信される、ＣＳＩ報告サブフレームである。
【００４８】
いくつかの実施形態では、指示されたＣＳＩサブフレームセットが１つ以上のフレキシブルサブフレームに関する場合、ＣＳＩ参照リソースは、時間領域において、単一の下りリンクサブフレームｎ−ｎCQI_refとして定められ、ここで、ｎCQI_refは、その単一の下りリンクサブフレームが、指示されたＣＳＩサブフレームセットに属する有効な下りリンクサブフレームであるようなオフセットであり、ｎはＣＳＩ報告サブフレームに対するサブフレームインデクスである。
【００４９】
ＣＳＩ参照リソース
ＵＥが上に従って非周期ＣＳＩ測定及び報告を受信すると、ＵＥは、例えばチャネル測定と干渉測定との少なくともいずれかの観点で、ＣＳＩ参照リソースで送信された信号を表す又はそれに対応する信号を測定し、さらにその測定からＣＳＩを決定するべきである。ＣＳＩ参照リソースは、ＵＥがＣＳＩを決定する対象の周波数領域のリソースである。そして、ＣＳＩは無線ノードへ報告され、そして、例えば、上述のように、対応するリソースにおいてスケジューリングするために無線ノードによって使用される。
【００５０】
上述の方法の例示の実施形態では、フレキシブルサブフレーム、すなわちフレキシブルサブフレームセットに対するＣＳＩ参照リソースは、以下のように定められうる。
【００５１】
・時間領域において、ＣＳＩ参照リソースを、例えば、ＣＳＩ参照リソースサブフレームとも表される、単一の下りリンクサブフレームｎ−ｎCQI_refとして定めてもよく、ここでｎCQI_refはＣＳＩ報告サブフレームｎと、その単一の下りリンクサブフレームとの時間オフセットである。
・ここで、ｎCQI_refは、ＣＳＩ参照リソースがフレキシブルサブフレームのセットに属する有効な下りリンクサブフレーム内にあるようなものであるべきである。ｎCQI_refは、設定手順の一部として構成されて、したがってＵＥ及び無線ノードに知られるようにしてもよいし、制御シグナリング、例えばＲＲＣシグナリングの一部として与えられ又は更新されてもよいし、その両方が行われてもよい。
【００５２】
・周波数領域では、ＣＳＩ参照リソースは、導出されるＣＱＩ値が関連する帯域に対応する下りリンク物理リソースブロックのグループとして定義されうる。
【００５３】
「有効な下りリンクサブフレーム」により、下りリンク通信のためにスケジューリングされ、又は、下りリンク通信のために少なくとも設定されたサブフレームを意味する。
【００５４】
上の実施形態では、ＵＥに、ＣＳＩ測定を実行すること、及び、固定の、すなわちスタティックな、サブフレーム、又はフレキシブルサブフレームのための非周期ＣＳＩ報告を送ることをトリガするために、１つ以上のビットが下りリンク制御情報（ＤＣＩ）に付加されうる。代わりに、ＤＣＩにおける１つ以上の既存のビットが、ＵＥに、ＣＳＩ測定を実行すること、及び、固定の、すなわちスタティックな、サブフレーム、又はフレキシブルサブフレームのための非周期ＣＳＩ報告を送ることをトリガするために用いられてもよい。例えば、ＤＣＩにおける付加された又は既存のビットが１（又は０）にセットされた場合、そのビットは、固定の、すなわち、スタティックな、サブフレームのための非周期ＣＳＩ報告のためのトリガであってもよく、また、ＤＣＩにおけるこのビットが０（又は１）にセットされた場合、そのビットは、フレキシブルサブフレームのための非周期ＣＳＩ報告のためのトリガであってもよい。また、１つ以上の既存のビットと１つ以上の追加のビットとの組み合わせが、様々な非周期ＣＳＩ報告をトリガするために用いられてもよい。
【００５５】
キャリアアグリゲーションの場合、ＵＥが少なくとも２つのキャリアに関連付けられているときに、ＵＬグラントにおける非周期ＣＳＩ要求フィールドは２つのビットを含む。同様に、複数のＣＳＩ処理を伴って構成されるＣｏＭＰを適用するＵＥに対して、ＵＬグラントにおける非周期ＣＳＩ要求フィールドまたはＣＳＩ情報フィールドは、２つのビットを含む。その一方で、１つのキャリア及び１つのみのＣＳＩ処理を伴って構成されるＵＥに対しては、ＵＬグラントにおける非周期ＣＳＩ要求フィールドは１ビットのみを含む。このような単一キャリア、単一のＣＳＩ処理のＵＥに対して、非周期ＣＳＩ要求フィールドは、１つより多くのビット、例えば２ビットを有するように、更新されてもよい。非周期ＣＳＩ要求フィールドがすでに１つより多くのビットを含んでいるＵＥに対しては、これらのビットは、再利用され、再定義されてもよい。
【００５６】
上述の実施形態のいずれかによるソリューションを実装することにより得られうるくつかの潜在的な利点は、スタティックサブフレームとフレキシブルサブフレームとの両方を伴う動的ＴＤＤが採用されているときにより正確で役立つＣＳＩ報告をＵＥが提供することができるようにされるため、セルラネットワークにおける性能と容量との少なくともいずれかの改善を含む。ＵＥは、簡単な方法で、かつ、最小のシグナリングオーバーヘッドで、ＣＳＩ報告を実行することのトリガを受けることができる。本ソリューションを実装することは、標準に対する影響が非常に小さく、例えば、標準の変更を最小化するだろう。
【００５７】
ノードの実施形態
以下、ＵＥ及び無線ノード、例えばＢＥ、の実装について、図６〜９を参照して説明する。ＵＥ及び無線ノードは、図４〜５を参照して上述した方法のうちの、少なくともそれぞれのものを実行するように構成される。本ノードについて、不必要な繰り返しを避けるため、簡単に説明する。
【００５８】
ユーザ端末（ＵＥ）
ここで説明される実施形態は、無線通信システムで動作可能なＵＥにも関する。ＵＥは、上述のＵＥによって実行される方法の少なくとも１つの実施形態を実行するように構成される。ＵＥは、上述され、例えば図４を参照して説明された方法と、同一の技術的特徴、目的及び利点と、関連付けられる。
【００５９】
以下、信号伝送の方向が固定された１つ以上のスタティックサブフレームと、信号伝送の方向が可変の１つ以上のフレキシブルサブフレームとに対する別個の非周期ＣＳＩ報告を処理するための上述した方法を実行することができるように構成された例示のＵＥ６００について、図６を参照して説明する。ＵＥ６００は、無線通信ネットワークで動作可能なように構成され、したがって、例えば、そのＵＥにサービスを供する無線ノードと通信して、無線信号に関する測定を実行することができることが想定されうる。ここで説明される方法への適合によって最も影響を受けるＵＥ６００の部分を、破線によって囲まれた構成６０１として図解している。ＵＥ６００及び構成６０１は、さらに、無線通信のための手段を有する通信部６０２を介して他のエンティティと通信するように構成される。ＵＥ６００又は構成６０１は、通常のＵＥの機能を実行するためのさらなる機能６０６を有することが想定されうる。
【００６０】
ＵＥの構成部分は、以下のように実装と記述との少なくともいずれかがなされうる：構成６０１は、プロセッサなどの処理手段６０３及び命令を記憶するためのメモリ６０４を含み、メモリは、処理手段によって実行されるときに、ＵＥ６００又は構成６０１に、無線ノードから、スタティックＤＬサブフレームにおけるＵＬグラントの一部として非周期ＣＳＩ報告のためのトリガを受信させる命令、例えばコンピュータプログラム６０５を含む。そのトリガは、少なくとも２つの選択肢のＣＳＩサブフレームセットの中から、ＣＳＩサブフレームセットを指示する。命令の実行は、さらに、ＵＥ６００又は構成６０１に、上述のように、指示されたＣＳＩサブフレームセットにおけるＣＳＩ参照リソースに対する非周期ＣＳＩ測定を実行させ、そのＣＳＩ測定の結果を無線ノードへ報告させ、ここで、上述の少なくとも２つの選択肢のＣＳＩサブフレームセットのうちの１つは１つ以上のスタティックサブフレームに関し、その少なくとも２つの選択肢のＣＳＩサブフレームセットのうちの別の１つは１つ以上のフレキシブルサブフレームに関する。ＵＥ６００又は構成６０１は、ＣＳＩ報告サブフレームｎにおいて、ＣＳＩ測定の結果を無線ノードへ報告するように構成されうる。
【００６１】
ＵＥ６００の代わりの実施形態を図７に示す。図７は、無線通信ネットワークで動作可能なＵＥ７００を示している。ここで説明される方法への適合によって最も影響を受けるＵＥ７００の部分を、破線によって囲まれた構成７０１として図解している。ＵＥ７００又は構成７０１は、無線通信において他のエンティティと通信するように構成される通信部７０２を有する。ＵＥ７００又は構成７０１は、通常のＵＥの機能を実行するためのさらなる機能部７０６を有することが想定されうる。
【００６２】
ＵＥ７００又は構成７０１は、スタティックＤＬサブフレームにおいて、無線ノードから、ＵＬグラントの一部として、非周期ＣＳＩ報告のためのトリガを受信するように構成された受信部７０３を有する。そのトリガは、少なくとも２つの選択肢のＣＳＩサブフレームセットの中から、ＣＳＩサブフレームセットを指示する。
【００６３】
ＵＥ７００又は構成７０１は、指定されたＣＳＩサブフレームセットにおけるＣＳＩ参照リソースに対して、非周期ＣＳＩ測定を実行するように構成された測定部７０４をさらに有する。ＵＥは、さらに、そのＣＳＩ測定の結果を無線ノードへ報告するように構成された報告部７０５を有する。報告部７０５は、ＣＳＩ報告サブフレームｎにおいて、ＣＳＩ測定の結果を無線ノードへ報告するように構成されうる。
【００６４】
無線ノード、例えばＢＳ
ここで説明される実施形態は、無線通信システムで動作可能な無線ノード又はＢＳにも関する。無線ノードは、上述の無線ノードによって実行される方法の少なくとも１つの実施形態を実行するように構成される。無線ノードは、上述され、例えば図５において説明された方法と、同一の技術的特徴、目的及び利点と、関連付けられる。
【００６５】
以下、信号伝送の方向が固定された１つ以上のスタティックサブフレームと、信号伝送の方向が可変の１つ以上のフレキシブルサブフレームとに対する別個の非周期ＣＳＩ報告を処理するための上述した方法を実行することができるように構成された例示の無線ノード８００について、図８を参照して説明する。無線ノード８００は、無線通信ネットワークにおいて動作可能であるように構成される。ここで説明される方法への適合によって最も影響を受ける無線ノード８００の部分を、破線によって囲まれた構成８０１として図解している。無線ノード８００及び構成８０１は、無線通信のための手段と、場合によっては有線通信のための手段とを有する通信部８０２を介して、ＵＥ及びＭＭＥ等の他のエンティティと通信するように構成される。無線ノード８００又は構成８０１は、スケジューリングなどの、通常の無線ノードの機能を実行するための、他のさらなる機能８０６を有することが想定されうる。
【００６６】
無線ノード８００の構成部分は、以下のように実装と記述との少なくともいずれかがなされうる：
構成８０１は、プロセッサなどの処理手段８０３と命令を記憶するメモリ８０４とを含み、メモリは、処理手段によって実行させるときに、無線ノード８００又は構成８０１に、スタティックＤＬサブフレームにおけるＵＬグラントにおいて、そこの中でまたはそこでＵＥがＣＳＩ参照リソースに対する非周期ＣＳＩ測定を実行すべき、少なくとも２つの選択肢のＣＳＩサブフレームセットの中からのＣＳＩサブフレームセットをそのＵＥへ指示させる命令、例えばコンピュータプログラムを有し、ここで、その少なくとも２つの選択肢のＣＳＩサブフレームセットのうちの１つは１つ以上のスタティックサブフレームに関し、その少なくとも２つの選択肢のＣＳＩサブフレームセットのうちの別の１つは１つ以上のフレキシブルサブフレームに関する。命令の実行は、さらに、無線ノード８００又は構成８０１に、指示されたＣＳＩサブフレームセットにおける非周期ＣＳＩ測定の結果を含んだＵＥからのＣＳＩ報告を受信させる。無線ノード８００又は構成８０１は、ＣＳＩ報告サブフレームｎにおいて、ＵＥからのＣＳＩ報告を受信するように構成されうる。
【００６７】
無線ノード８００の代わりの実施形態を図９に示す。図９は、無線通信ネットワークで動作可能な無線ノード９００を示している。ここで説明される方法への適合によって最も影響を受ける無線ノード９００の部分を、破線によって囲まれた構成９０１として図解している。ＵＥ９００又は構成９０１は、無線通信において及び場合によっては有線通信においても、他のエンティティと通信するように構成される通信部９０２を有する。無線ノード９００又は構成９０１は、さらに、スケジューリングなどの、通常の無線ノードの機能を実行するための、さらなる機能部９０６を有することが想定されうる。
【００６８】
無線ノード９００又は構成９０１は、スタティックＤＬサブフレームにおけるＵＬグラントにおいて、ＵＥに対して、少なくとも２つの選択肢のＣＳＩサブフレームセットの中から、その中で又はそこでＵＥがＣＳＩ参照リソースに対するＣＳＩ測定を実行すべき、ＣＳＩサブフレームセットを知らせるように構成された指示部９０３を有し、ここで、その少なくとも２つの選択肢のＣＳＩサブフレームセットのうちの１つは、１つ以上のスタティックサブフレームに関し、その少なくとも２つの選択肢のＣＳＩサブフレームセットのうちの別の１つは、１つ以上のフレキシブルサブフレームに関する。無線ノード９００又は構成９０１は、さらに、指示されたＣＳＩサブフレームセットにおける非周期ＣＳＩ測定の結果を含んだＵＥからのＣＳＩ報告を受信するように構成された受信部９０４を含む。無線ノード９００又は構成９０１は、ＣＳＩ報告サブフレームｎにおいて、ＵＥからのＣＳＩ報告を受信するように構成されうる。
【００６９】
上述の様々なノードにおける構成内のユニットまたはモジュールは、例えば、上述され、例えば図４〜５に図解された動作を実行するように構成された、プロセッサ若しくはマイクロプロセッサと適切なソフトウェア及びそれを記憶するためのメモリ、プログラマブル論理デバイス（ＰＬＤ）、又は、他の電子コンポーネント若しくは処理回路のうちの１つ以上によって実装されうる。すなわち、上述の様々なノードにおける構成内のユニットまたはモジュールは、アナログ回路とデジタル回路との組合せ、若しくは、例えばメモリに記憶された、ソフトウェアとファームウェアとを伴って構成される１つ以上のプロセッサ、又はその両方によって実装されうる。これらの１つ以上のプロセッサ及び他のデジタルハードウェアは、単一の特定用途向け集積回路（ＡＳＩＣ）、又はいくつかのプロセッサに含まれてもよく、様々なデジタルハードウェアは、個別にパッケージされるにしてもシステムオンチップ（ＳｏＣ）にまとめられるにしても、いくつかの分離したコンポーネントの間で分散されてもよい。
【００７０】
ここで説明するインジケータ又はトリガは、上に述べたように、ここでも使われている用語である非周期ＣＳＩ報告要求と見られうる。さらに、本開示では、上述の用語「スタティック／フレキシブルサブフレーム」は、１つのスタティック／フレキシブルサブフレームのみに限られず、少なくとも１つのスタティック／フレキシブルサブフレームと解釈されるべきである。
【００７１】
本開示の範囲内の相互作用するユニットの選択及びユニットの命名は、例示の目的のためのものにすぎず、上述の方法のいずれかを実行するのに適したノードは、提案された手順の動作を実行することが可能であるように、複数の選択的な方法で構成されうる。本ソリューションについて特定の例示の実施形態を参照して説明したが、本説明は、概して発明のコンセプトを説明することのみを意図したものであり、本ソリューションの範囲を限定するようにとらえられるべきではない。例えば、ここで説明した特徴及び特性を有する任意の他の対応するエンティティと、機能と、パラメータとの少なくともいずれかをも使用することができるが、用語「無線ノード」、「ユーザ端末（ＵＥ）」、「スタティックサブフレーム」、「フレキシブルサブフレーム」、「トリガ」、「ＣＳＩ報告」及び「ＣＳＩ測定」が、本発明を通じて使用されている。
【００７２】
また、本開示で説明されたユニットは論理エンティティとして見なされるべきであり、必然性なく個別の物理エンティティとみなされるべきではない。
【００７３】
略語
３ＧＰＰ：          第３世代パートナーシッププロジェクト
ＣＣＥ：            制御チャネルエレメント
ＣｏＭＰ：          協調マルチポイント
ＣＱＩ：            チャネル品質インジケータ
ＣＳＩ：            チャネル状態情報
ＤＣＩ：            下りリンク制御情報
ＤＬ：              下りリンク
ＤＭ  ＲＳ：        復調参照シンボル
ｅＮＢ：            エボルブドＮｏｄｅＢ
（Ｅ）ＰＤＣＣＨ：  エンハンスドＰＤＣＣＨ
ＨＡＲＱ：          ハイブリッド自動再送要求
ＩＣＩＣ：          セル間干渉協調
ＩＤ：              アイデンティティ
Ｌ１：              レイヤ１
ＬＴＥ：            ロングタームエボリューション
ＭＩＭＯ：          多入力多出力
ＰＤＣＣＨ：        物理下りリンク制御チャネル
ＰＵＳＣＨ：        物理上りリンク共有チャネル
Ｒｅｌ：            リリース
ＲＲＭ：            無線リソース管理
ＲＳ：              参照信号
ＴＤＤ：            時分割複信
ＵＥ：              ユーザ端末
ＵＬ：              上りリンク
【００７４】
以下、付録において、非周期ＣＳＩのトリガに対するいくつかの代わりのソリューションについて言及する。
【００７５】
付録
本開示の焦点である明治のシグナリング又はトリガへの代替案は、目次のトリガでありうる。黙示のトリガのために、以下の基準のいずれかに従って、スタティック又はフレキシブル下りリンクサブフレームに対して、非周期ＣＳＩ要求が異ならしめられうる。
−（以下の実施形態１で説明される、）非周期ＣＳＩ報告要求がスタティック又はフレキシブル上りリンクサブフレームのための上りリンクグラント上で運ばれる。
−（以下の実施形態２で説明される、）非周期ＣＳＩ報告要求を運ぶ上りリンクグラントのＣＣＥインデクス。
−（以下の実施形態３で説明される、）非周期ＣＳＩ報告要求を運ぶ上りリンクグラントが送信される、下りリンクサブフレームが特別下りリンクサブフレームであるか否か。
−（以下の実施形態４で説明される、）非周期ＣＳＩ報告要求を運ぶ上りリンクグラントが送信される下りリンクサブフレームのインデクス。
−（以下の実施形態５で説明される、）非周期ＣＳＩ報告要求を運ぶ上りリンクグラントに対応するＨＡＲＱ処理ＩＤ。
−（以下の実施形態６で説明される、）非周期ＣＳＩ報告要求を運ぶ上りリンクグラントにおける、ＣＳＩ処理ＩＤ。
【００７６】
以下、上述の基準について、様々な実施形態として、より詳細に説明する。これらの実施形態を実現するために、無線ノード又は基地局は、本開示において先に説明した明治のトリガの場合のように、スタティックサブフレームに対する非周期ＣＳＩ報告を実行するためのＵＥに対する第１のトリガを送信し、フレキシブルサブフレームに対する非周期ＣＳＩ報告を実行するためのＵＥに対する第２のトリガを送信するように構成される。
【００７７】
実施形態１：非周期ＣＳＩ報告要求がスタティック又はフレキシブル上りリンクサブフレームのための上りリンクグラント上で運ばれる
本実施形態では、報告をトリガするように設定されたそれぞれのＣＳＩ要求フィールドを伴う上りリンクグラント又はランダムアクセス応答グラントをＵＥが受信すると、そのＵＥは、ＵＬグラント又はランダムアクセス応答グラントがスタティックサブフレームとフレキシブルサブフレームとのいずれにおいてＰＵＳＣＨ伝送をスケジューリングしたかに基づいて、非周期ＣＳＩ報告を実行することがトリガされる。これは、様々な可能性に従って実現されうる：
・上りリンクグラント又はランダムアクセス応答グラントが、スタティックサブフレームにおけるＰＵＳＣＨ伝送をスケジューリングした場合、非周期ＣＳＩ報告は、１つ以上のスタティック下りリンクサブフレームにおけるＣＳＩ測定を含むべきである。したがって、このスケジューリングは第１のトリガに対応する。
・上りリンクグラント又はランダムアクセス応答グラントが、フレキシブルサブフレームにおけるＰＵＳＣＨ伝送をスケジューリングした場合、非周期ＣＳＩ報告は、１つ以上のフレキシブル下りリンクサブフレームにおけるＣＳＩ測定を含むべきである。したがって、このスケジューリングは第２のトリガに対応する。
・上りリンクグラントがスタティックサブフレーム及びフレキシブルサブフレームの両方におけるＰＵＳＣＨをスケジューリングしている、例えばＵＬ／ＤＬ設定０である場合、非周期ＣＳＩ報告は、スタティックサブフレームとフレキシブルサブフレームとの両方におけるＣＳＩ測定を含むべきである。したがって、このスケジューリングは第１のトリガと第２のトリガとの両方に対応する。
【００７８】
実施形態２：非周期ＣＳＩ報告要求を運ぶ上りリンクグラントのＣＣＥインデクス
本実施形態では、非周期ＣＳＩ報告要求を運ぶ上りリンクグラントの第１のＣＣＥのインデクスの関数としてメトリックが定められうる。本メトリックは、γCCEと表される。その場合、ＵＥは、メトリックに応じて所定のルールに従って、スタティック又はフレキシブル下りリンクサブフレームに対するＣＳＩを報告することを決定する。
【００７９】
一例として、
2016534615.tif 000003
である。ここで、Ｉｎｄ1st_CCEは第１のＣＣＥのインデクスであり、Ａｇｇpdcchは、ＣＳＩ報告のトリガを運ぶＵＬグラントのアグリゲーションレベルである。本実施形態では、メトリックγCCEがそれぞれ０及び１である場合、又はメトリックγCCEがそれぞれ１及び０である場合に、スタティック下りリンクサブフレーム及びフレキシブル下りリンクサブフレームに対する非周期ＣＳＩ報告を実行することがＵＥにトリガされる。
【００８０】
実施形態３：非周期ＣＳＩ報告要求を運ぶ上りリンクグラントが送信される、下りリンクサブフレームが特別下りリンクサブフレームであるか否か
本実施形態では、ＵＥによって受信されたＣＳＩ報告要求が特別サブフレームである又は特別サブフレームでない場合に、ＵＥが（ＣＳＩ要求搬送サブフレームとも呼ばれうる）サブフレームに基づいてスタティック又はフレキシブル下りリンクサブフレームに対する非周期ＣＳＩ報告を判定することができることが事前に定められ／設定されうる。
【００８１】
本実施形態では、ＵＥは、ＣＳＩ要求搬送サブフレームが特別サブフレームである場合及び特別サブフレームでない場合のそれぞれにおいて、又は、ＣＳＩ要求搬送サブフレームが特別サブフレームでない場合及び特別サブフレームである場合のそれぞれにおいて、スタティック下りリンクサブフレーム及びフレキシブル下りリンクサブフレームに対する非周期ＣＳＩ報告を実行することがＵＥにトリガされうる。
【００８２】
実施形態４：非周期ＣＳＩ報告要求を運ぶ上りリンクグラントが送信される下りリンクサブフレームのインデクス
本実施形態における可能性として、上りリンクグラントを運ぶことができる（例えば特別サブフレームを含む）下りリンクサブフレームが、第１の下りリンクサブフレームグループと、第２の下りリンクサブフレームグループとの２つのグループに分割されうる。第１の又は第２の下りリンクサブフレームグループに属する下りリンクサブフレームで運ばれた非周期ＣＳＩ報告要求が、それぞれ、スタティック又はフレキシブルサブフレームに対する非周期ＣＳＩ測定を実行することをＵＥにトリガすることが、事前に定められうる。
【００８３】
本実施形態の別の可能性として、ＣＳＩ要求搬送サブフレームのサブフレームインデクスの関数として、別のメトリックを定めることができる。本メトリックは、γCCE-fnと表される。事前に定められたルールに従って、ＵＥがスタティック又はフレキシブル下りリンクサブフレームに対する非周期ＣＳＩ報告を決定することができることを、ネットワークによって事前に定め／設定することができる。一例として、メトリックγCCE-fnは、
2016534615.tif 000004
のように定義されうる。ここで、ｓｕｂＦｎはサブフレーム番号又はインデクスである。本実施形態では、ＵＥは、γCCE-fnがそれぞれ０及び１である場合、又はγCCE-fnがそれぞれ１及び０である場合に、スタティック下りリンクサブフレーム及びフレキシブル下りリンクサブフレームに対する非周期ＣＳＩ報告を実行することがＵＥにトリガされうる。
【００８４】
実施形態５：非周期ＣＳＩ報告要求を運ぶ上りリンクグラントに対応するＨＡＲＱ処理ＩＤ
本実施形態における可能性として、ＨＡＲＱ処理ＩＤを、２つのグループ（第１及び第２）に分割することができる。第１の／第２のＨＡＲＱ処理ＩＤグループに属する、非周期ＣＳＩ報告要求を運ぶ上りリンクグラントに対応するＨＡＲＱ処理ＩＤは、それぞれ、ＵＥがスタティック／フレキシブル下りリンクサブフレームに対する、又は逆の場合も同様の、非周期ＣＳＩ報告を実行すべきであることを意味する。
【００８５】
本実施形態の別の可能性として、非周期ＣＳＩ報告要求を運ぶ上りリンクグラントに対応するＨＡＲＱ処理ＩＤの関数としてメトリックを定義することができ、ＵＥは、所定のルールに従って、スタティック又はフレキシブル下りリンクサブフレームに対する非周期ＣＳＩ報告を実行することを決定することができる。一例として、メトリックγhpは、
2016534615.tif 000005
のように定義されうる。ここで、ｈｐ＿Ｉｄは、ＨＡＲＱ処理アイデンティティである。本実施形態では、ＵＥは、γhpがそれぞれ０及び１である場合、又はγhpがそれぞれ１及び０である場合に、スタティック下りリンクサブフレーム及びフレキシブル下りリンクサブフレームに対する非周期ＣＳＩ報告を実行することがＵＥにトリガされる。
【００８６】
実施形態６：非周期ＣＳＩ報告要求を運ぶ上りリンクグラントにおける、ＣＳＩ処理ＩＤ
本実施形態における可能性として、ＣＳＩ処理ＩＤを、スタティック／フレキシブル下りリンクサブフレームと関連付けることができる。本実施形態の例では、ＣＳＩ処理ＩＤの２つのセットが、無線ノード又はｅＮＢにおいて定義されうる。１つのセットはスタティック下りリンクサブフレームと関連付けられ、別のセットがフレキシブル下りリンクサブフレームに関連付けられる。スタティック下りリンクサブフレームに関連付けられたＣＳＩ処理に対して、対応するゼロ電力／非ゼロ電力のＣＳＩ  ＲＳ及びＤＭ  ＲＳが、スタティックサブフレームのみにおいて設定されてもよく、その一方で、フレキシブル下りリンクサブフレームに関連付けられたＣＳＩ処理に対して、対応するゼロ電力／非ゼロ電力ＣＳＩ  ＲＳ及びＤＭ  ＲＳがフレキシブルサブフレームのみにおいて設定されてもよい。
【図１】
2016534615.tif 000006
【図２】
2016534615.tif 000007
【図３Ａ】
2016534615.tif 000008
【図３Ｂ】
2016534615.tif 000009
【図４】
2016534615.tif 000010
【図５】
2016534615.tif 000011
【図６】
2016534615.tif 000012
【図７】
2016534615.tif 000013
【図８】
2016534615.tif 000014
【図９】
2016534615.tif 000015
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための、ユーザ端末（ＵＥ）によって実行される方法であって、
−スタティック下りリンク（ＤＬ）サブフレームにおける無線ノードからの上りリンク（ＵＬ）グラントの一部として、１つ以上のＣＳＩ処理と、少なくとも２つの選択肢のＣＳＩサブフレームセットの中からのＣＳＩサブフレームセットとを指示する、非周期ＣＳＩ報告のためのトリガを受信すること（４０１）と、
−前記指示されたＣＳＩサブフレームセットにおけるＣＳＩ参照リソースに対する非周期ＣＳＩ測定を実行すること（４０３）と、
−前記ＣＳＩ測定の結果を、ＣＳＩ報告サブフレームｎにおいて前記無線ノードへ報告すること（４０４）と、
を含み、
前記少なくとも２つの選択肢のＣＳＩサブフレームセットのうちの１つは前記１つ以上のスタティックサブフレームに関し、前記少なくとも２つの選択肢のＣＳＩサブフレームセットのうちの別の１つは前記１つ以上のフレキシブルサブフレームに関する、
ことを特徴とする方法。
【請求項２】
前記指示されたＣＳＩサブフレームセットが前記１つ以上のフレキシブルサブフレームに関する場合に、前記ＣＳＩ参照リソースは、時間領域において、単一の下りリンクサブフレームｎ−ｎCQI_refとして定められ、ｎCQI_refは、前記単一の下りリンクサブフレームが、前記指示されたＣＳＩサブフレームセットに属する有効な下りリンクサブフレームであるようなオフセットである、
ことを特徴とする請求項１に記載の方法。
【請求項３】
前記トリガは、少なくとも１ビットを含む、
ことを特徴とする請求項１又は２に記載の方法。
【請求項４】
信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための、無線ノードによって実行される方法であって、
−スタティック下りリンク（ＤＬ）サブフレームにおける上りリンク（ＵＬ）グラントにおいて、ユーザ端末（ＵＥ）に対して、１つ以上のＣＳＩ処理と、少なくとも２つの選択肢のＣＳＩサブフレームセットの中からの、前記ＵＥがＣＳＩ参照リソースに対する非周期ＣＳＩ測定を実行すべき、ＣＳＩサブフレームセットとを、指示すること（５０３）と、
−前記指示されたＣＳＩサブフレームセットにおける前記ＣＳＩ測定の結果を含むＣＳＩ報告を、ＣＳＩ報告サブフレームｎにおいて、前記ＵＥから受信すること（５０４）と、
を含み、
前記少なくとも２つの選択肢のＣＳＩサブフレームセットのうちの１つは前記１つ以上のスタティックサブフレームに関し、前記少なくとも２つの選択肢のＣＳＩサブフレームセットのうちの別の１つは前記１つ以上のフレキシブルサブフレームに関する、
ことを特徴とする方法。
【請求項５】
前記指示されたＣＳＩサブフレームセットが前記１つ以上のフレキシブルサブフレームに関する場合に、前記ＣＳＩ参照リソースは、時間領域において、単一の下りリンクサブフレームｎ−ｎCQI_refとして定められ、ｎCQI_refは、前記単一の下りリンクサブフレームが、前記指示されたＣＳＩサブフレームセットに属する有効な下りリンクサブフレームであるようなオフセットである、
ことを特徴とする請求項４に記載の方法。
【請求項６】
前記指示は、少なくとも１ビットを含むトリガを用いて実行される、
ことを特徴とする請求項４又は５に記載の方法。
【請求項７】
信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための、ユーザ端末（ＵＥ）（６００、７００）であって、
前記ＵＥは、
−スタティック下りリンク（ＤＬ）サブフレームにおける無線ノードからの上りリンク（ＵＬ）グラントの一部として、１つ以上のＣＳＩ処理と、少なくとも２つの選択肢のＣＳＩサブフレームセットの中からのＣＳＩサブフレームセットとを指示する、非周期ＣＳＩ報告のためのトリガを受信し、
−前記指示されたＣＳＩサブフレームセットにおけるＣＳＩ参照リソースに対する非周期ＣＳＩ測定を実行し、
−前記ＣＳＩ測定の結果を、ＣＳＩ報告サブフレームｎにおいて前記無線ノードへ報告する、
ように構成され、 
前記少なくとも２つの選択肢のＣＳＩサブフレームセットのうちの１つは前記１つ以上のスタティックサブフレームに関し、前記少なくとも２つの選択肢のＣＳＩサブフレームセットのうちの別の１つは前記１つ以上のフレキシブルサブフレームに関する、
ことを特徴とするユーザ端末。
【請求項８】
前記指示されたＣＳＩサブフレームセットが前記１つ以上のフレキシブルサブフレームに関する場合に、前記ＣＳＩ参照リソースは、時間領域において、単一の下りリンクサブフレームｎ−ｎCQI_refとして定められ、ｎCQI_refは、前記単一の下りリンクサブフレームが、前記指示されたＣＳＩサブフレームセットに属する有効な下りリンクサブフレームであるようなオフセットである、
ことを特徴とする請求項７に記載のユーザ端末。
【請求項９】
前記トリガは、少なくとも１ビットを有する、
ことを特徴とする請求項７又は８に記載のユーザ端末。
【請求項１０】
信号伝送の方向が固定された１つ以上のスタティックサブフレームと、信号伝送の方向が可変の１つ以上のフレキシブルサブフレームとに対する別個の非周期チャネル状態情報（ＣＳＩ）報告を処理するための、無線ノード（８００、９００）であって、
前記無線ノードは、
−スタティック下りリンク（ＤＬ）サブフレームにおける上りリンク（ＵＬ）グラントにおいて、ユーザ端末（ＵＥ）に対して、１つ以上のＣＳＩ処理と、少なくとも２つの選択肢のＣＳＩサブフレームセットの中からの、前記ＵＥがＣＳＩ参照リソースに対する非周期ＣＳＩ測定を実行すべき、ＣＳＩサブフレームセットとを、指示し、
−前記指示されたＣＳＩサブフレームセットにおける前記ＣＳＩ測定の結果を含むＣＳＩ報告を、ＣＳＩ報告サブフレームｎにおいて、前記ＵＥから受信する、
ように構成され、
前記少なくとも２つの選択肢のＣＳＩサブフレームセットのうちの１つは前記１つ以上のスタティックサブフレームに関し、前記少なくとも２つの選択肢のＣＳＩサブフレームセットのうちの別の１つは前記１つ以上のフレキシブルサブフレームに関する、
ことを特徴とする無線ノード。
【請求項１１】
前記指示されたＣＳＩサブフレームセットが前記１つ以上のフレキシブルサブフレームに関する場合に、前記ＣＳＩ参照リソースは、時間領域において、単一の下りリンクサブフレームｎ−ｎCQI_refとして定められ、ｎCQI_refは、前記単一の下りリンクサブフレームが、前記指示されたＣＳＩサブフレームセットに属する有効な下りリンクサブフレームであるようなオフセットである、
ことを特徴とする請求項１０に記載の無線ノード。
【請求項１２】
前記無線ノード（８００、９００）は、少なくとも１ビットを有するトリガを用いて、前記ＣＳＩサブフレームセットを指示するように構成される、
ことを特徴とする請求項１０又は１１に記載の無線ノード。
【請求項１３】
無線機器へ、１つ以上のＣＳＩ処理と、複数の異なるＣＳＩサブフレームセットのうちの１つとを指示するための、物理下りリンク制御チャネル（ＰＤＣＣＨ）又はエンハンスドＰＤＣＣＨ（ｅＰＤＣＣＨ）上での上りリンクグラントにおけるチャネル状態情報（ＣＳＩ）要求フィールドにおける少なくとも１つのビットの使用であって、前記複数の異なるＣＳＩサブフレームセットのうちの１つが１つ以上のスタティックサブフレームに関し、前記複数の異なるＣＳＩサブフレームセットのうちの別の１つが１つ以上のフレキシブルサブフレームに関する点を特徴とする、使用。
【手続補正２】
【補正対象書類名】明細書
【補正対象項目名】００４６
【補正方法】変更
【補正の内容】
【００４６】
動作５０４
無線ノードは、ＵＥからＣＳＩ報告を受信する。ＣＳＩ報告は、指示されたＣＳＩサブフレームセットにおける非周期ＣＳＩ測定の結果を含む。
【国際調査報告】
2016534615.tif 000016
2016534615.tif 000017
2016534615.tif 000018
2016534615.tif 000019